【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
伝送媒体を介してデータソースからデータシンクにデータを伝送するための装置であって、前記データソースは、第１のデータをパケット形式で出力するメディアアクセスコントローラを備え、前記装置が、
前記第１のデータをパケット形式で受信するために前記メディアアクセスコントローラに結合され、かつ、少なくとも前記第１のデータを前記第１のデータのビットの第１の複数のグループとして出力する第１のバッファと、
少なくとも前記第１のデータを受信して符号化し、符号化されたデータを出力するための第１のエンコーダと、
前記符号化されたデータを受信するために前記エンコーダに結合され、かつ、前記伝送媒体に前記符号化されたデータを送信するために前記伝送媒体に結合されたクロック応答式送信器と、
複数のビット時間の開始時間を確立するために前記送信器に結合された基準クロックであって、前記ビットの第１の複数のグループの各々が、第１の組をなすビット時間中に前記送信器によって送信されることからなる、基準クロックと、
音声またはビデオシステムから構成される、等時性データを出力する等時性データソースと、
前記等時性データを受信し、前記等時性データのビットの第２の複数のグループを出力するための第２のバッファ
を有し、
前記クロック応答式送信器は前記第２のバッファに結合され、前記ビットの第２の複数のグループの各々は、第２の組をなす前記ビット時間中に、前記送信器によって前記伝送媒体に送られることからなる、装置。
【請求項２】
前記データソースから前記データシンクにサイクル基準信号を伝送するための手段であって、前記サイクル基準信号には、伝送距離によって導入される待ち時間が生じることからなる、手段と、
前記データシンクで受信したサイクル基準信号と外部サイクル基準との間の間の位相差を測定して遅延値を更新するために、前記データシンクに結合された手段と、
伝送距離によって導入された待ち時間を前記遅延値を用いて補償するために、前記データシンクに結合された手段
をさらに備える、請求項１の装置。
【請求項３】
前記ビットの第１の複数のグループと第２の複数のグループが、４／５エンコード方式に従う第１の符号化形式の符号化データとして出力され、前記４／５エンコード方式では、４ビットが５ビットのグループに符号化される、請求項１の装置。
【請求項４】
前記第１の符号化形式がさらに、NRZIエンコード方式からなる、請求項３の装置。
【請求項５】
データビットの前記第１の複数のグループの各々が、同じビット数を含む、請求項１の装置。
【請求項６】
前記ビット数が４である、請求項５の装置。
【請求項７】
前記第１のバッファが先入れ先出しメモリからなる、請求項１の装置。
【請求項８】
伝送媒体を介してデータソースからデータシンクにデータを伝送するための装置であって、前記データソースは、第１のデータをパケット形式で出力するメディアアクセスコントローラを備え、前記装置が、
パケット形式で前記第１のデータを受信するために前記メディアアクセスコントローラに結合された第１のバッファと、
前記第１のバッファから前記第１のデータを受信して、符号化されたデータを出力するために前記第１のバッファに結合された第１のエンコーダと、
前記符号化されたデータを受信するために前記第１のエンコーダに結合され、かつ、前記伝送媒体に前記符号化されたデータを送信するために前記伝送媒体に結合された、クロック応答式送信器と、
複数の時間フレームの開始時間を確立するために前記送信器に結合された基準クロックであって、各時間フレームが複数のタイムスロットを有し、該複数のタイムスロットが複数のビット時間に対応することからなる、基準クロック
を有し、
前記ビットの第１の複数のグループの各々は、第１の組をなす前記ビット時間中に前記送信器によって送信され、
第２の組をなす前記ビット時間が、等時性データ伝送に割り当てられることからなる、装置。
【請求項９】
前記等時性データ伝送が、音声またはビデオコンポーネントに関連する連続的なディジタルデータのストリームを含む、請求項８の装置。
【請求項１０】
伝送媒体を介してデータソースからデータシンクにデータを伝送するための方法であって、前記データソースは、第１のデータをパケット形式で出力するメディアアクセスコントローラを備え、
前記メディアアクセスコントローラからのパケット形式の前記第１のデータを第１のバッファで受信し、少なくとも前記第１のデータを前記第１のデータのビットの第１の複数のグループとして出力するステップと、
前記第１のバッファからの前記第１のデータの出力を第１のエンコーダで受信し、少なくとも前記第１のデータを符号化して、符号化されたデータを出力するステップと、
前記符号化されたデータを前記伝送媒体に送信するために、前記第１のエンコーダからの前記符号化されたデータをクロック応答式送信器で受信するステップと、
複数のビット時間の開始時間を確立するために前記送信器に結合された基準クロックを提供するステップであって、前記ビットの第１の複数のグループの各々が、第１の組をなすビット時間中に前記送信器によって送信されることからなる、ステップと、
等時性データを出力する等時性データソースを提供するステップであって、該等時性データソースは、音声またはビデオシステムから構成されることからなる、ステップと、
前記等時性データを第２のバッファで受信し、前記等時性データのビットの第２の複数のグループを出力するステップ
を含み、
前記送信器は前記第２のバッファから、前記等時性データのビットの第２の複数のグループを受信し、前記ビットの第２の複数のグループの各々は、第２の組をなす前記ビット時間中に、前記送信器によって前記伝送媒体に送られることからなる、方法。
【請求項１１】
前記ビットの第１の複数のグループと第２の複数のグループが、４／５エンコード方式に従う第１の符号化形式の符号化データとして出力され、前記４／５エンコード方式では、４ビットが５ビットのグループに符号化される、請求項１０の方法。
【請求項１２】
前記第１の符号化形式がさらに、NRZIエンコード方式からなる、請求項１１の方法。
【請求項１３】
データビットの前記第１の複数のグループの各々が、同じビット数を含む、請求項１０の方法。
【請求項１４】
前記ビット数が４である、請求項１３の方法。
【請求項１５】
前記第１のバッファが先入れ先出しメモリからなる、請求項１０の方法。
【請求項１６】
伝送媒体を介してデータソースからデータシンクにデータを伝送するための方法であって、前記データソースは、第１のデータをパケット形式で出力するメディアアクセスコントローラを備え、前記方法が、
前記メディアアクセスコントローラからの前記第１のデータを第１のバッファにおいてパケット形式で受信するステップと、
前記第１のバッファからの前記第１のデータを第１のエンコーダで受信して、符号化されたデータを出力するステップと、
前記符号化されたデータを受信するために前記第１のエンコーダに結合され、かつ、前記伝送媒体に前記符号化されたデータを送信するために前記伝送媒体に結合された、クロック応答式送信器を提供するステップと、
複数の時間フレームの開始時間を確立するために前記送信器に結合された基準クロックを提供するステップであって、各時間フレームが複数のタイムスロットを有し、該複数のタイムスロットが複数のビット時間に対応することからなる、ステップ
を含み、
前記ビットの第１の複数のグループの各々は、第１の組をなす前記ビット時間中に前記送信器によって送信され、
第２の組をなす前記ビット時間が、等時性データ伝送に割り当てられることからなる、方法。
【請求項１７】
前記等時性データ伝送が、音声またはビデオコンポーネントに関連する連続的なディジタルデータのストリームを含む、請求項１６の方法。
【請求項１８】
前記伝送媒体が物理媒体からなる、請求項１６の方法。